(57)【要約】【課題】狭く、複雑な空間でも、天板上に物品を載置しつつ、自在に走行させることが可能なカートを提供する。【解決手段】カート１は、床Ｆ上を走行可能な走行手段２が設けられた基部３と、基部３の上方に配置され、物品を載置可能な天板４と、天板４の下方に把持可能な間隔Ｓを有して配設された平面視略環状の把持部５と、基部３に対して天板４及び把持部５を支持する支持手段１０とを備える。【選択図】図１
2010105540.tif 000002
【特許請求の範囲】
【請求項１】
床上を走行可能な走行手段が設けられた基部と、
該基部の上方に配置され、物品を載置可能な天板と、
該天板の下方に把持可能な間隔を有して配設された平面視略環状の把持部と、
前記基部に対して前記天板及び前記把持部を支持する支持手段とを備えることを特徴とするカート。
【請求項２】
請求項１に記載のカートにおいて、
前記把持部は、平面視して前記天板の外縁に沿って配設されていることを特徴とするカート。
【請求項３】
請求項１また請求項２に記載のカートにおいて、
前記支持手段は、前記基部と前記把持部との間に取り付けられて、前記把持部を支持する第一の支持杆と、
前記把持部の内部を通して前記基部と前記天板との間に取り付けられて、前記天板を支持する第二の支持杆とを有することを特徴とするカート。
【請求項４】
請求項３に記載のカートにおいて、
前記支持手段は、略環状をなす前記把持部の内部に掛け渡されるとともに、該把持部の内部を通る前記第二の支持杆に連結された連結杆を有することを特徴とするカート。
【請求項５】
請求項４に記載のカートにおいて、
前記連結杆は、前記第一の支持杆と前記把持部との取付位置近傍で該把持部に取り付けられていることを特徴とするカート。
【請求項６】
請求項１または請求項２に記載のカートにおいて、
前記支持手段は、前記基部と前記把持部との間に取り付けられて、前記把持部を支持する第一の支持杆と、
前記把持部と前記天板との間に取り付けられて、前記天板を支持する第三の支持杆とを有することを特徴とするカート。
【請求項７】
請求項６に記載のカートにおいて、
前記第三の支持杆は、前記把持部及び前記天板のそれぞれに、前後方向の略中間位置、または、該中間位置よりも前側で取り付けられていることを特徴とするカート。
【請求項８】
請求項２から請求項７のいずれか１項に記載のカートにおいて、
前記第一の支持杆は、対向して対をなして設けられ、対をなした該第一の支持杆の間に物品を載置するためのトレーが支持されていることを特徴とするカート。
【請求項９】
請求項８に記載のカートにおいて、
対をなす前記第一の支持杆は、前記基部に、前後方向の略中間位置で取り付けられているとともに、前記把持部に前後方向の後部位置で取り付けられていることを特徴とするカート。
【発明の詳細な説明】
【技術分野】
【０００１】
本発明は、物品を載置可能な天板を有して床上を走行可能なカートに関する。
【背景技術】
【０００２】
従来から、物品を載置、収納する手段を有しつつ、床面上を走行可能なカートが知られている。このようなカートは、例えば、病院や介護施設等で病室を回診する際などに利用されており、近年、カルテなどの電子化に伴って、情報端末などの電子機器を載置可能とするカートが提案されてきている。具体的には、床面上を走行するキャスターと、所定の向きで電子機器を載置可能な天板と、設置される電子機器の前側に対応する位置に設けられ、把持して操作するための把持部となる取っ手とを備えるものが提案されている（例えば、特許文献１、２参照）。そして、このようなカートでは、把持部となる取っ手を把持しながら押すことで走行させて移動しつつ、天板上の電子機器を利用することが可能である。
【特許文献１】特開２００５−４６４１２号公報
【特許文献２】特開２００８−１４２２７８号公報
【発明の開示】
【発明が解決しようとする課題】
【０００３】
しかしながら、特許文献１、２のようなカートによれば、操作者は、把持部が設けられたカートの前側の位置での操作に限られる。すなわち、カートに対する操作者の相対位置が、把持部が設けられたカートの前側となる場合には、把持部を把持して押すまたは引くように操作することで当該カートの前後方向に移動させ、また、左右方向いずれかに操作力を与えて走行しながら方向を転換することができるが、カートの前側以外となる場合には自由に操作することができない。このため、上記のように病院や介護施設におけるベッド間など、狭く、複雑な空間では、把持部を把持可能な位置に自らを位置することができずにカートを自在に操作することができなく、また、カート自体を方向転換させることもできず、自在に走行させることができなくなってしまう問題があった。
【０００４】
この発明は、上述した事情に鑑みてなされたものであって、狭く、複雑な空間でも、天板上に物品を載置しつつ、自在に走行させることが可能なカートを提供するものである。
【課題を解決するための手段】
【０００５】
上記課題を解決するために、この発明は以下の手段を提案している。
本発明のカートは、床上を走行可能な走行手段が設けられた基部と、該基部の上方に配置され、物品を載置可能な天板と、該天板の下方に把持可能な間隔を有して配設された平面視略環状の把持部と、前記基部に対して前記天板及び前記把持部を支持する支持手段とを備えることを特徴としている。
【０００６】
この発明に係るカートによれば、把持部は、天板の下方に把持可能な間隔を有して配設されており、また、平面視略環状に形成されていることで、相対的に操作者がいずれに位置していたとしても、天板が支障となることなく略環状の把持部のいずれかの位置を把持することができ、支持手段を介して基部に操作力を与えることができる。このため、狭く、複雑な空間で、カートに対する操作者の相対位置が制限されても、操作者によってカートを、所望の方向へ走行させ、あるいは、方向転換させることができる。
【０００７】
また、上記のカートにおいて、前記把持部は、平面視して前記天板の外縁に沿って配設されていることがより好ましい。
【０００８】
この発明に係るカートによれば、把持部が平面視して天板の外縁に沿って配設されていることで、天板が支障となることなく好適に把持部を把持することが可能であるとともに、走行時においては把持部が外部に接触して走行の支障となってしまうことを防止することができる。
【０００９】
また、上記のカートにおいて、前記支持手段は、前記基部と前記把持部との間に取り付けられて、前記把持部を支持する第一の支持杆と、前記把持部の内部を通して前記基部と前記天板との間に取り付けられて、前記天板を支持する第二の支持杆とを有することがより好ましい。
【００１０】
この発明に係るカートによれば、把持部は、第一の支持杆によって基部に対して確実に支持された状態とすることができ、把持部に与えた操作力を好適に基部へ作用させることができる。また、天板は、第二の支持杆によって基部に対して確実に支持された状態とすることができ、載置した物品を好適に支持することができる。ここで、第二の支持杆が、把持部の内部を通して基部と天板との間に取り付けられていることで、把持部を把持する際に支障となることがない。また、第二の支持杆は、把持部によって囲まれていることで、走行時において外部に接触して、自身が損傷し、あるいは、走行の支障となってしまうことを防ぐことができる。
【００１１】
また、上記のカートにおいて、前記支持手段は、略環状をなす前記把持部の内部に掛け渡されるとともに、該把持部の内部を通る前記第二の支持杆に連結された連結杆を有することがより好ましい。
【００１２】
この発明に係るカートによれば、支持手段の連結杆が把持部及び第二の支持杆に連結されているので、把持部に取り付けられた第一の支持杆と、天板に取り付けられた第二の支持杆とによって、天板と把持部とを一体的な構造として全体の剛性を高めて、強固かつ安定的に基部に支持された状態にすることができる。
【００１３】
また、上記のカートにおいて、前記連結杆は、前記第一の支持杆と前記把持部との取付位置近傍で該把持部に取り付けられていることがより好ましい。
【００１４】
この発明に係るカートによれば、連結杆が第一の支持杆と把持部との取付位置近傍で把持部に取り付けられていることで、第一の支持杆と第二の支持杆との連結構造の剛性をより高めることができる。
【００１５】
また、上記のカートにおいて、前記支持手段は、前記基部と前記把持部との間に取り付けられて、前記把持部を支持する第一の支持杆と、前記把持部と前記天板との間に取り付けられて、前記天板を支持する第三の支持杆とを有するものとしても良い。
【００１６】
この発明に係るカートによれば、把持部は、第一の支持杆によって基部に対して確実に支持された状態とすることができ、把持部に与えた操作力を好適に基部へ作用させることができる。また、天板は、第三の支持杆によって、把持部及び第一の支持杆を介して基部に対して確実に支持された状態とすることができ、載置した物品を好適に支持することができる。ここで、把持部の外側に支持手段の構成を配置していないので、把持部を把持する際に支障とならず、また、走行時において外部に接触して走行の支障となってしまうこともない。また、天板を第三の支持杆によって支持することで、天板と把持部との間における支持手段の構成を最小限とすることができるので、天板と把持部との間に、外部構成を挿入可能なスペースを確保することができる。このため、例えば、固定式テーブルに向かって前進させて、自身の天板と把持部との間に固定式テーブルの天板を挿入させれば、両者を一体化させて両天板上で作業を行うことができ、多様的な使用方法を実現できる。なお、把持部の下方においても、支持手段の構成を最小限にすることができることから、例えば、把持部の下方に固定式テーブルの天板を挿入して使用することも可能である。
【００１７】
また、上記のカートにおいて、前記第三の支持杆は、前記把持部及び前記天板のそれぞれに、前後方向の略中間位置、または、該中間位置よりも前側で取り付けられていることがより好ましい。
【００１８】
この発明のカートによれば、第三の支持杆が把持部と天板のそれぞれに前後方向の略中間位置、または、該中間位置よりも前側に取り付けられているので、天板と把持部との間には、後側から両者の少なくとも略中間位置まで外部構成を挿入可能なスペースを確保することができる。このため、上記の例によれば、固定式テーブルの天板をさらに奥まで挿入させてより一体的な状態として使用することが可能となる。
【００１９】
また、上記のカートにおいて、前記第一の支持杆は、対向して対をなして設けられ、対をなした該第一の支持杆の間に物品を載置するためのトレーが支持されていることがより好ましい。
【００２０】
この発明のカートによれば、対向した第一の支持杆によって強固かつ安定的に把持部を支持することができるとともに、第一の支持杆の間にトレーが支持されていることで、スペースを有効利用し、かつ、安定的に、物品を載置して収納することができる。
【００２１】
また、上記のカートにおいて、対をなす前記第一の支持杆は、前記基部に、前後方向の略中間位置で取り付けられているとともに、前記把持部に前後方向の後部位置で取り付けられていることがより好ましい。
【００２２】
この発明のカートによれば、対をなす第一の支持杆が基部に前後方向の略中間位置で取り付けられているので、基部上でより安定的に把持部を支持することができる。一方で、第一の支持杆は、把持部に前後方向の後部位置で取り付けられているので、前後方向前側から使用する際に、第一の支持杆の間に支持されたトレーから物品を出し入れするスペースをより大きく確保することができ、トレーへのアクセス性の向上を図ることができる。
【発明の効果】
【００２３】
本発明のカートによれば、天板の下方に間隔を有して配置された略環状の把持部によって、狭く、複雑な空間でも、天板上に物品を載置しつつ、自在に走行させることができる。
【発明を実施するための最良の形態】
【００２４】
（第１の実施形態）
図１から図１０は、この発明に係る第１の実施形態を示している。図１から図４に示すように、本実施形態のカート１は、例えば、病院や介護施設等で病室を回診する際などに利用されるものであり、床Ｆ上を走行可能な走行手段であるキャスター２が設けられた基部３と、基部３の上方に配置された天板４と、天板４の下方に配置された平面視略環状の把持部５と、把持部５と基部３との間に設けられて物品を収納するトレー６と、基部３に対して天板４、把持部５及びトレー６を支持する支持手段１０とを備える。基部３は、前後方向Ｘに配設された一対の主部材７と、一対の主部材７を前後方向Ｘに直交する左右方向Ｙに連結する連結部材８とを有する。キャスター２は、各主部材７の下面において、前後方向Ｘの前端部７ａ及び後端部７ｂに設けられて、方向を自在に設定することが可能となっている。また、連結部材８は、主部材７において、前後方向Ｘの後端部７ｂ側で連結されている。
【００２５】
また、天板４は、本実施形態では、物品として情報端末などの電子機器が載置可能な大きさのものであり、略矩形状に形成されている。前縁４ａは、載置された電子機器を操作する際の操作者の手を配置するために傾斜して形成されているとともに、後縁４ｂ並びに、両側縁４ｃの後側には、天板４上に載置された電子機器等の脱落防止手段として凸部４ｄが延設されている。また、把持部５は、把持可能に、すなわち、操作者の操作する手を挿入することが可能な間隔Ｓを天板４との間に有して配置されている。また、把持部５は、天板４と対応する形状で、すなわち本実施形態では略矩形枠状であり、平面視して天板４の外縁となる前縁４ａ、後縁４ｂ及び側縁４ｃに沿って配設されている。
【００２６】
支持手段１０は、基部３と把持部５との間に取り付けられて、把持部５を支持する第一の支持杆１１と、把持部５の内部を通して基部３と天板４との間に取り付けられて、天板４を支持する第二の支持杆１２と、第二の支持杆１２と把持部５とを連結する連結杆１３とを有する。第一の支持杆１１は、左右方向Ｙに対向して対をなして設けられ、それぞれ基部３の主部材７上において、前後方向Ｘの略中間位置で上下方向Ｚに立設されているとともに、上部において前後方向Ｘ後側に屈曲する屈曲部１１ａを有し、把持部５の側部５ａにおいて、前後方向Ｘの後部位置で下面に取り付けられている。また、第一の支持杆１１の間には、各トレー６が固定されていて、物品を収納可能となっている。ここで、トレー６の平面寸法は、天板４よりも小さく設定されていて、トレー６の外縁は、平面視して天板４の内側となるようにして設けられている。
【００２７】
第二の支持杆１２は、基部３の連結部材８上において、左右方向Ｙの略中間位置で上下方向Ｚに立設されている。ここで、第二の支持杆１２は、支持する天板４を可動体１ａとして、基部３及び把持部５を固定体１ｂとして、固定体１ｂに対して可動体１ａを昇降させる昇降支柱として構成されるものであり、該連結部材８に下端が固定された略管状の外杆材１５と、外杆材１５に上下方向Ｚに進退可能に挿入されて上端部に天板４が固定された略管状の内杆材１６と、内杆材１６に内蔵されて外杆材１５に対して内杆材１６を昇降させる昇降機構１７とを備える。昇降機構１７は、内杆材１６の内部に配設されて、上端が天板４に固定されているとともに、図示しないが下端が基部３の連結部材８に固定されたガススプリング１７ａと、天板４の裏面側に取り付けられた操作部１７ｂとを有する。そして、操作部１７ｂの操作、または、下方に負荷を与えることによりガススプリング１７ａを伸張、または、収縮させて、外杆材１５に対して、内杆材１６及び内杆材１６の上端に固定された天板４を昇降させることが可能となっている。
【００２８】
また、第二の支持杆１２は、支持構造２０により、外杆材１５が、固定体１ｂとなる基部３及び把持部５に固定されているとともに、内杆材１６が、外杆材１５に対して進退可能に支持されている。具体的には、支持構造２０は、外杆材１５の下端に設けられて連結部材８と図示しない固定用ネジで固定された下側固定部２０ａと、外杆材１５の上端に設けられて保持部材２１により連結杆１３と固定された上側固定部２０ｂとを有する。
【００２９】
図５から図１０に示すように、上側固定部２０ｂの保持部材２１は、内杆材１６が挿通された挿通孔２２ａを有する略管状の保持部２２と、保持部２２から外周側に突出して設けられて連結杆１３と連結された被固定部２３とを有する。ここで、保持部２２は、略管状の本体部材２４と、本体部材２４の内周面に取り付けられた複数のスライダ２５とを有し、スライダ２５によって挿通孔２２ａの内周面を構成している。本体部材２４は、例えば、樹脂などで形成されていて、外杆材１５に挿入され嵌合された筒状部２４ａと、筒状部２４ａの上端に外周側に張り出すように設けられ外杆材１５の上端が当接した外フランジ部２４ｂと、外フランジ部２４ｂと反対側の内周側に張り出すように設けられた内フランジ部２４ｃとを有する。また、被固定部２３は、筒状部２４ａの外周面から下方に向かって突出する下向き片２３ａにより構成されており、下向き片２３ａと筒状部２４ａの外周面とにより下方に開口する嵌合溝２２ｂが形成されている。そして、筒状部２４ａが嵌合している外杆材１５の上端の対応する一部が嵌合溝２２ｂに嵌合されている。すなわち、本体部材２４は、上記のように外杆材１５に、筒状部２４ａが嵌合され、さらにその上端に外フランジ部２４ｂが当接するとともに嵌合溝２２ｂが嵌合していることで、外杆材１５に固定されている。なお、図５及び図９に示すように、筒状部２４ａの外周面には外周側に突出する係合凸部２４ｄが上下方向Ｚに沿って形成されているとともに、外杆材１５の内周面には係合凸部２４ｄと対応した係合溝１５ａが上下方向Ｚに沿って形成され、互いに係合している。このため、本体部材２４は、筒状部２４ａが外杆材１５に嵌合した状態では軸回りに位置決めされ、向きが一定となるように設定されている。
【００３０】
また、図５から図１０に示すように、下向き片２３ａは、下方に傾斜した状態から次第に径方向外周側に沿うように突出して、上面が全体として凹状の曲面を呈する凹状部２３ｂを構成している。一方、対応する連結杆１３は、凹状部２３ｂと対応して、対向する面が全体として凸状の曲面を呈する凸状部１３ａを構成している。そして、凹状部２３ｂと凸状部１３ａとが互いに嵌合するとともに、凹状部２３ｂに形成された貫通孔２３ｃを通して連結杆１３に形成されたネジ孔１３ｂに固定用ネジ２３ｄを螺合して締め付けることで連結杆１３と下向き片２３ａとは固定されており、これにより外杆材１５の上端部は連結杆１３に支持されている。
【００３１】
また、スライダ２５は、略板状の部材で、表面に複数の略半球状の当接部２５ａが突出して設けられており、上側が内フランジ部２４ｃにより係止され、また、下側が筒状部２４ａから突出する下側係止片２４ｅにより係止され、さらに、側縁が筒状部２４ａの内周面から突出し上下方向Ｚに沿って設けられた側縁係止片２４ｆにより係止されて、本体部材２４と一体となっている。また、スライダ２５は、本実施形態では、四つ設けられ、本体部材２４の内周面に矩形状に配列している。このため、スライダ２５によって挿通孔２２ａの内周面が構成されて断面が非円形状となる略矩形状に形成されており、当該挿通孔２２ａに挿通された内杆材１６も対応した略矩形状に形成されて、各スライダ２５の各当接部２５ａに当接して摺動可能となっている。また、スライダ２５を形成する材質は、本体部材２４と比較して摩擦係数の小さな樹脂、例えばポリアセタール樹脂などで形成されている。
【００３２】
次に、この実施形態のカート１の作用について説明する。
上記のとおり、本実施形態のカート１では、把持部５は、天板４の下方に把持可能な間隔Ｓを有して配設されており、また、平面視略環状に形成されている。このため、前後方向Ｘ前側の位置に限らずに、カート１に対して相対的に操作者がいずれに位置していたとしても、天板４が支障となることなく平面視略環状の把持部５のいずれかの位置を把持することができる。そして、把持部５を支持する第一の支持杆１１と、連結杆１３を介して支持する第二の支持杆１２とを介して、基部３に操作力を与えることができる。このため、狭く、複雑な空間で、カート１に対する操作者の相対位置が制限されても、操作者によってカート１を、所望の方向へ走行させ、あるいは、方向転換させることができ、天板４上に物品を載置しつつ、自在に走行させることができ、特に回診用カートとして病室や介護施設等における回診に利用するのに最適である。また、第一の支持杆１１は、基部３の主部材７において、前後方向Ｘの略中間位置に設けられているので、基部３上でより安定的に把持部５を支持することができる。また、天板４は、第二の支持杆１２によって基部３に対して確実に支持された状態とすることができ、載置した物品を好適に支持することができる。ここで、第二の支持杆１２が、把持部５の内部を通して基部３と天板４との間に取り付けられていることで、把持部５を把持する際に支障となることがない。また、第二の支持杆１２は、把持部５によって囲まれていることで、走行時において外部に接触して、自身が損傷し、あるいは、走行の支障となってしまうことを防ぐことができる。また、連結杆１３が把持部５及び第二の支持杆１２に連結されているので、把持部５に取り付けられた第一の支持杆１１と、天板４に取り付けられた第二の支持杆１２とによって、天板４と把持部５とを一体的な構造として全体の剛性を高めて、より強固かつ安定的に基部３に支持された状態にすることができる。さらに、連結杆１３が第一の支持杆１１と把持部５との取付位置近傍で把持部５に取り付けられていることで、第一の支持杆１１と第二の支持杆１２との連結構造の剛性をより高めることができる。また、把持部５が平面視して天板４の外縁となる前縁４ａ、後縁４ｂ及び側縁４ｃに沿って配設されていることで、天板４が支障となることなく好適に把持部５を把持することが可能であるとともに、走行時においては把持部５が外部に接触して走行の支障となってしまうことを防止することができる。なお、本実施形態では、天板４の外縁と、把持部５の外縁とは、平面視して略一致する位置に設定されているが、把持部５の外縁が外側となるようにしても良い。このようにすることで、把持部５により天板４が外部と接触するのを防ぐことができる。
【００３３】
また、天板４を支持する第二の支持杆１２が外杆材１５と、内杆材１６と、昇降機構１７とを備えていることで、外杆材１５に対して内杆材１６を上下方向Ｚに進退させることで、天板４を昇降させることができる。ここで、該昇降機構１７が内杆材１６に内蔵されていることで、全体としてコンパクトな構造として省スペース化を図ることができるとともに、昇降機構１７が外部に露呈することなく、体裁を良好なものとすることができる。
【００３４】
また、外杆材１５がネジ固定による下側固定部２０ａと、保持部材２１による上側固定部２０ｂとで構成される支持構造２０により下端のみならず上端でも固定されていることで、第二の支持杆１２を強固に固定されるものとし、天板４を安定的に昇降させ、また、利用することができる。ここで、上側固定部２０ｂを構成する保持部材２１が保持部２２と被固定部２３とを備え、保持部２２に形成された嵌合溝２２ｂが外杆材１５の上端部に嵌合されているとともに、保持部２２から突出した被固定部２３が連結杆１３に連結されていることで、外杆材１５を連結杆１３を含む固定体１ｂに強固に固定することができる。また、内杆材１６が保持部２２の挿通孔２２ａに摺動可能に挿通されていることで、外杆材１５に対して内杆材１６を、保持部２２を介して上下に進退可能としつつ確実に支持された状態とすることができ、内杆材１６と外杆材１５とを有する昇降支柱全体を安定的に支持することができる。
【００３５】
さらに、保持部２２の外周面と被固定部２３の下向き片２３ａとによって嵌合溝２２ｂを形成することで、保持部２２自身を外杆材１５に嵌合させつつ、嵌合溝２２ｂに外杆材１５を嵌合させることができるので、保持部２２を外杆材１５により強固に固定することができ、これにより固定体１ｂに対してより安定的に外杆材１５を支持することができる。また、被固定部２３が凹状部２３ｂを有し、固定体１ｂを構成する連結杆１３に、対応して凸状部１３ａが形成され、両者が嵌合していることで、固定体１ｂに対して被固定部２３を確実固定することができ、これにより被固定部２３及び保持部２２を介して外杆材１５をより安定的に支持することができる。また、上記のとおり、外杆材１５の上端部に保持部２２に形成された嵌合溝２２ｂを嵌合するとともに、挿通孔２２ａに内杆材１６を挿入し、この状態で被固定部２３を固定体１ｂの連結杆１３に連結するだけであるので、第二の支持杆１２自体に直接加工を施す必要がなく、加工工数及びコストの低減を図ることができる。
【００３６】
また、保持部２２の挿通孔２２ａと内杆材１６との断面形状がそれぞれ対応して非円形の略矩形状とされていることで、保持部２２に対して内杆材１６が軸回りに回転してしまうことがなく、外杆材１５に固定された保持部２２に対して、内杆材１６の軸回りの向き、すなわち内杆材１６の上端に固定された天板４の向きを容易に一定として取り付けることができる。さらに、保持部２２が、本体部材２４と、本体部材２４よりも摩擦係数の小さな材質で形成されたスライダ２５とを有することで、本体部材２４によって保持部２２全体の剛性を確保しつつ、内杆材１６の外周面に摺動可能に当接するスライダ２５によって内杆材１６を円滑に上下に進退させて天板４を昇降させることができる。
【００３７】
また、対向して対をなす第一の支持杆１１の間にはトレー６が支持されていることで、スペースを有効利用し、かつ、安定的に、物品を載置して収納することができる。ここで、第一の支持杆１１は、基部３の主部材７に前後方向Ｘの略中間位置で取り付けられている一方、把持部５に前後方向Ｘの後部位置で取り付けられている。このため、前後方向Ｘ前側から使用する際に、第一の支持杆１１の間に支持されたトレー６から物品を出し入れするスペースをより大きく確保することができ、トレー６へのアクセス性の向上を図ることができる。また、上記のようにトレー６は、外縁が平面視して天板４の内側となるように設定されている。このため、搬送時において、トレー６が外部と接触してしまうのを確実に防止することができる。さらに、図１２に示すように、本実施形態のカート１の天板４を、椅子に着席しながら利用する際には、天板４の下方に着席者の脚を配置するスペースを確保することができ、椅子に座りながらの利用を好適なものとすることができる。また、トレー６を着脱可能な構成として取り外せば、天板４の下方のスペースをさらに大きく確保することができ、椅子に座りながらの利用をさらに好適なものとすることができる。
【００３８】
（第２の実施形態）
次に、本発明の第２の実施形態について説明する。図１２及び図１３は、本発明の第２の実施形態を示したものである。この実施形態において、前述した実施形態で用いた部材と共通の部材には同一の符号を付して、その説明を省略する。
【００３９】
図１２に示すように、本実施形態のカート３０では、天板４及び把持部５を支持する支持手段３１が、第一の支持杆１１と、把持部５と天板４との間に取り付けられた第三の支持杆３２とで構成されており、第１の実施形態のような基部３の連結部材８から立設された第二の支持杆１２及び把持部５内部に掛け渡された連結杆１３を備えていない構成となっている。第三の支持杆３２は、把持部５の両側部５ａ上面において、前後方向Ｘ中間位置または該中間位置よりも前側の位置で立設され、上端で天板４の下面に取り付けられている。
【００４０】
本実施形態のようなカート３０においても、把持部５は、第一の支持杆１１によって基部３に対して確実に支持された状態とすることができ、把持部５に与えた操作力を好適に基部３へ作用させることができる。また、天板４は、第三の支持杆３２によって、把持部５及び第一の支持杆１１を介して基部３に対して確実に支持された状態とすることができ、載置した物品を好適に支持することができる。また、把持部５の外側に支持手段３１の構成を配置していないので、把持部５を把持する際に支障とならず、また、走行時において外部に接触して走行の支障となってしまうこともない。
【００４１】
また、天板４は、第三の支持杆３２で支持され、基部３から立設される第二の支持杆のような構成を設けていない。このため、図１３に示すように、例えば、固定式テーブル４０に向かって前進させて、自身の天板４と把持部５との間に固定式テーブル４０の天板４１を挿入させれば、両者を一体化させて両天板４、４１上で作業を行うことができ、多様的な使用方法を実現できる。特に、天板４を支持する第三の支持杆３２は、前後方向Ｘに略中間位置より前側に設けられているので、固定式テーブル４０の天板４１をさらに奥まで挿入してより一体的な状態として使用することが可能である。なお、把持部５の下方においても、第二の支持杆が無い状態であることから、把持部５の下方に固定式テーブル４０の天板４１を挿入して使用することも可能である。
【００４２】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４３】
【図１】本発明の第１の実施形態のカートの全体を示す斜視図である。
【図２】本発明の第１の実施形態のカートの全体を示す正面図である。
【図３】本発明の第１の実施形態のカートの全体を示す側面図である。
【図４】図３の切断線Ａ−Ａでの断面図である。  全体を示す側面図である。
【図５】本発明の第１の実施形態のカートの支持構造において、上側固定部の詳細を示す一部を破断した側面図である。
【図６】本発明の第１の実施形態のカートの支持構造において、保持部材の詳細を示す側面図である。
【図７】本発明の第１の実施形態のカートの支持構造において、保持部材の詳細を示す正面図である。
【図８】本発明の第１の実施形態のカートの支持構造において、保持部材の詳細を示す上面図である。
【図９】本発明の第１の実施形態のカートの支持構造において、保持部材の詳細を示す下面図である。
【図１０】図７から図９の切断線Ｂ−Ｂでの断面図である。
【図１１】本発明の第１の実施形態のカートを座った状態で利用する際の説明図である。
【図１２】本発明の第２の実施形態のカートの全体を示す斜視図である。
【図１３】本発明の第２の実施形態のカートの使用状態の一例を示す説明図である。
【符号の説明】
【００４４】
１、３０  カート
２  キャスター（走行手段）
３  基部
４  天板
５  把持部
６  トレー
１０、３１  支持手段
１１  第一の支持杆
１２  第二の支持杆
１３  連結杆
３２  第三の支持杆
Ｓ  間隔
Ｘ  前後方向
Ｙ  左右方向
Ｚ  上下方向
【図１】
2010105540.tif 000003
【図２】
2010105540.tif 000004
【図３】
2010105540.tif 000005
【図４】
2010105540.tif 000006
【図５】
2010105540.tif 000007
【図６】
2010105540.tif 000008
【図７】
2010105540.tif 000009
【図８】
2010105540.tif 000010
【図９】
2010105540.tif 000011
【図１０】
2010105540.tif 000012
【図１１】
2010105540.tif 000013
【図１２】
2010105540.tif 000014
【図１３】
2010105540.tif 000015